(57)【要約】【課題】本体枠を変更することなく特定の遊技盤のみを設置して遊技に供し得るようにする。【解決手段】遊技盤１８の飾り部材６０に設けた中継接続部７０に、照明装置からの第１の配線４０に設けた第１コネクタ４０ａを着脱可能な第１コネクタ差込口７２と、ランプ制御装置からの第２の配線５７に設けた第２コネクタ５７ａを着脱可能な第２コネクタ差込口７３とを設ける。中枠１２と前枠１３との組合わせに応じて第１コネクタ差込口７２の形状を変更し、第１コネクタ４０ａを接続可能な中継接続部７０を備えた遊技盤１８を遊技盤収容枠部２０に収容した場合には、照明装置の照明による正常な遊技を許容する一方、第１コネクタ４０ａが接続可能に形成されていない中継接続部７０を備えた遊技盤１８を遊技盤収容枠部２０に収容した場合には、照明装置の照明による正常な遊技を不能とする。【選択図】図９
2008109959.tif 000002
【特許請求の範囲】
【請求項１】
遊技球が流下可能な遊技領域および遊技球が流下不能な非遊技領域を有し、該遊技領域内に、遊技球の流下方向に変化を与える複数の遊技釘や遊技球が入賞可能な入賞装置、電気的に作動制御される遊技部品を設けた遊技盤と、前記遊技盤を着脱可能に収容する遊技盤収容枠部を備える本体枠と、前記本体枠に設けられ、前記遊技盤収容枠部に収容した遊技盤の遊技領域へ向けて遊技球を発射する打球発射機構部と、前記本体枠に設けられ、前記遊技盤の入賞装置への遊技球の入賞に基づいて賞球を払出す賞球払出機構部と、前記本体枠に対して開閉可能に配設され、前面側を照明する照明装置を設けた開閉部材と、前記遊技盤または本体枠の裏側に配設され、前記開閉部材の照明装置を作動制御する照明制御装置とを備えた遊技機において、
前記遊技盤の非遊技領域に配設された合成樹脂製の飾り部材と、
前記飾り部材に設けられた中継接続部と、
前記中継接続部に設けられ、前記照明装置からの配線に設けた第１接続部を着脱可能な第１被接続部と、
前記中継接続部に設けられ、前記照明制御装置からの配線に設けた第２接続部を着脱可能な第２被接続部とを備え、
前記本体枠と開閉部材との組合わせに応じて前記第１被接続部および第２被接続部の少なくとも一方の形状を変更して、
前記第１接続部および第２接続部を接続可能な形状で前記第１被接続部および第２被接続部の夫々が形成された中継接続部を備えた遊技盤を前記遊技盤収容枠部に収容した場合には、対応する第１接続部と第１被接続部および第２接続部と第２被接続部の夫々を接続して前記照明装置の照明による正常な遊技を許容する一方、
前記第１接続部および第２接続部の少なくとも一方が接続可能な形状で前記第１被接続部および第２被接続部が形成されていない中継接続部を備えた遊技盤を前記遊技盤収容枠部に収容した場合には、第１接続部と第１被接続部および第２接続部と第２被接続部の少なくとも一方の接続を阻止して前記照明装置の照明による正常な遊技を不能とするよう構成した
ことを特徴とする遊技機における遊技盤判別構造。
【請求項２】
前記中継接続部は、前記第１被接続部および第２被接続部を取り付けた単一の基板と、該基板を設置する設置部とを備え、
前記本体枠および開閉部材の組合わせに応じて前記基板および設置部の形状を変更するよう構成した請求項１記載の遊技機における遊技盤判別構造。
【請求項３】
前記遊技盤収容枠部に対して前記遊技盤を前側から着脱し得るよう構成すると共に、前記本体枠および開閉部材の組合わせに応じて前記第１被接続部の形状のみ変更する請求項１または２記載の遊技機における遊技盤判別構造。
【請求項４】
前記中継接続部は、前記遊技盤収容枠部へ遊技盤を設置した際に、前記本体枠に対して開閉部材を開閉可能に枢支するヒンジ機構側に位置するよう前記飾り部材に設けられる請求項１〜３の何れか１項に記載の遊技機における遊技盤判別構造。
【発明の詳細な説明】
【技術分野】
【０００１】
本発明は、遊技機における遊技盤判別構造に関し、更に詳細には、遊技盤が着脱可能に配設された本体枠に対して、照明装置を設けた開閉部材を開閉可能に組み付けるよう構成された遊技機における遊技盤判別構造に関するものである。
【背景技術】
【０００２】
例えば遊技機の代表例の一つであるパチンコ機は、パチンコ球(遊技球)が流下可能な遊技領域を画成した遊技盤に、該遊技領域を流下するパチンコ球が入賞可能な始動入賞装置や特別入賞装置を配設すると共に、各種図柄を変動表示して所要の遊技演出を行なう図柄表示装置(遊技部品)等を配設するよう構成されている。そして、本体枠としての中枠に形成した遊技盤収容枠部に前記遊技盤を着脱可能に配設して、該遊技盤の入賞装置や図柄表示装置等の各種遊技部品を、中枠に設けた各種制御装置に対して電気的に接続することで、制御装置の制御に基づいて各部品を動作させて所要の遊技を行ない得るようになっている。また、前記中枠の前面側には、前枠(開閉部材)が開閉可能に設けられて、前記遊技盤の遊技領域を透視保護している。
【０００３】
このようなパチンコ機にあっては、前記遊技盤および中枠(これらに組み付けられる部品・装置を含む。以下同じ)が一定の組合わせで使用されることを前提として、パチンコ機全体が所定基準に適合するかにつき公的機関により検査され、この検査に合格したものに限り遊技に供することが許可される。従って、遊技盤の個々は所定基準に適合するとしても、検査対象とは異なる組合わせで遊技盤と中枠とを組み付けたパチンコ機は全体として正式な検査・承認を受けていないことから、このようなパチンコ機が遊技に供されるのは好ましくない。そこで、遊技盤を特定の中枠にのみ設置し得るよう構成する技術として、例えば特許文献１に開示されるものが知られている。すなわち、特許文献１に記載のパチンコ機では、遊技盤側に嵌合突部または嵌合凹部を形成すると共に、中枠側には遊技盤に形成した嵌合突部または嵌合凹部と嵌合する嵌合凹部または嵌合突部を形成して、遊技盤の嵌合部(嵌合突部または嵌合凹部)と、中枠の嵌合部(嵌合凹部または嵌合突部)とが一致する場合にのみ組合せ得るようになっている。
【特許文献１】特開平５−１８４７１７号公報
【発明の開示】
【発明が解決しようとする課題】
【０００４】
ところで、中枠の基本構成をそのままに、外観上のデザインを変更する、所謂マイナーチェンジの場合であっても、パチンコ機全体が所定基準に適合するかにつき公的機関の検査を受ける必要がある。すなわち、一般にマイナーチェンジの場合には中枠を交換しないから、マイナーチェンジの前後の中枠に対して遊技盤が互換性を有し、遊技盤を共用することが可能となる。このような遊技盤の互換性を許容すると、パチンコ機は全体として正式な検査・承認を受けていない状態で遊技に供される可能性があることから、デザイン変更前後における遊技盤の互換性をなくして、常に一定の組合わせで遊技盤が中枠に取り付けられることが求められる。ここで特許文献１に記載のパチンコ機のように、中枠側に嵌合突部や嵌合凹部を直接形成する構成では、デザイン変更前後における遊技盤の互換性をなくすためには、中枠および遊技盤に形成する嵌合突部および嵌合凹部の形成位置を変更する必要がある。すなわち、中枠および遊技盤に対して相互に嵌合可能な嵌合突部および嵌合凹部を形成する構成では、前述したマイナーチェンジのように中枠の構成の変更を必要としない場合であっても中枠自体を変更しなければならず、コストが嵩む問題がある。また、異なるデザイン毎に中枠を準備するため、多種類の中枠を保管・管理しなければならず、保管場所の確保や維持費の増大に繋がる。
そこで、本発明は、本体枠を変更することなく特定の遊技盤のみを設置して遊技に供し得る遊技機における遊技盤判別構造を提供することを目的とする。
【課題を解決するための手段】
【０００５】
前記課題を克服し、所期の目的を達成するために、本願の請求項１に係る遊技機における遊技盤判別構造は、
遊技球が流下可能な遊技領域(46,146)および遊技球が流下不能な非遊技領域(47,147)を有し、該遊技領域(46,146)内に、遊技球の流下方向に変化を与える複数の遊技釘や遊技球が入賞可能な入賞装置(51,52,53,151,152,153)、電気的に作動制御される遊技部品(50,54,150,154)を設けた遊技盤(18,118)と、前記遊技盤(18,118)を着脱可能に収容する遊技盤収容枠部(20,120)を備える本体枠(12,112)と、前記本体枠(12,112)に設けられ、前記遊技盤収容枠部(20,120)に収容した遊技盤(18,118)の遊技領域(46,146)へ向けて遊技球を発射する打球発射機構部(90,190)と、前記本体枠(12,112)に設けられ、前記遊技盤(18,118)の入賞装置(51,52,53,151,152,153)への遊技球の入賞に基づいて賞球を払出す賞球払出機構部(92,192)と、前記本体枠(12,112)に対して開閉可能に配設され、前面側を照明する照明装置(39,139)を設けた開閉部材(13,113)と、前記遊技盤(18,118)または本体枠(12,112)の裏側に配設され、前記開閉部材(13,113)の照明装置(39,139)を作動制御する照明制御装置(56,156)とを備えた遊技機において、
前記遊技盤(18,118)の非遊技領域(47,147)に配設された合成樹脂製の飾り部材(60,160)と、
前記飾り部材(60,160)に設けられた中継接続部(70,170)と、
前記中継接続部(70,170)に設けられ、前記照明装置(39,139)からの配線(40,140)に設けた第１接続部(40a,140a)を着脱可能な第１被接続部(72,172)と、
前記中継接続部(70,170)に設けられ、前記照明制御装置(56,156)からの配線(57,157)に設けた第２接続部(57a,157a)を着脱可能な第２被接続部(73,173)とを備え、
前記本体枠(12,112)と開閉部材(13,113)との組合わせに応じて前記第１被接続部(72,172)および第２被接続部(73,173)の少なくとも一方の形状を変更して、
前記第１接続部(40a,140a)および第２接続部(57a,157a)を接続可能な形状で前記第１被接続部(72,172)および第２被接続部(73,173)の夫々が形成された中継接続部(70,170)を備えた遊技盤(18,118)を前記遊技盤収容枠部(20,120)に収容した場合には、対応する第１接続部(40a,140a)と第１被接続部(72,172)および第２接続部(57a,157a)と第２被接続部(73,173)の夫々を接続して前記照明装置(39,139)の照明による正常な遊技を許容する一方、
前記第１接続部(40a,140a)および第２接続部(57a,157a)の少なくとも一方が接続可能な形状で前記第１被接続部(72,172)および第２被接続部(73,173)が形成されていない中継接続部(70,170)を備えた遊技盤(18,118)を前記遊技盤収容枠部(20,120)に収容した場合には、第１接続部(40a,140a)と第１被接続部(72,172)および第２接続部(57a,157a)と第２被接続部(73,173)の少なくとも一方の接続を阻止して前記照明装置(39,139)の照明による正常な遊技を不能とするよう構成したことを要旨とする。
【０００６】
従って、本体枠および開閉部材の組合わせに応じて、遊技盤に設けた中継接続部の第１被接続部および第２被接続部の少なくとも一方の形状を変更することで、照明装置の第１接続部と第１被接続部および照明制御装置の第２接続部と第２被接続部の夫々の形状が一致しない場合には、遊技盤を遊技盤収容枠部に設置したとしても照明装置が作動せず正常な演出が行なわれない。すなわち、本体枠および開閉部材の組合わせに応じて第１被接続部および第２被接続部の少なくとも一方の形状を変更するだけで、本体枠に対して特定の遊技盤を設置した正常な遊技に供することが可能となる。また、本体枠および開閉部材の組合わせに応じて前記第１被接続部および第２被接続部の少なくとも一方の形状を変更するだけで本体枠に設置可能な遊技盤を変更できるから、大幅な変更を必要とせず、コストの低減を図り得る。更に、前記中継接続部を遊技盤の非遊技領域に配設した飾り部材に設けることで、中継接続部が遊技に影響を及ぼすことはない。
【０００７】
請求項２に係る遊技機における遊技盤判別構造は、前記中継接続部(70,170)は、前記第１被接続部(72,172)および第２被接続部(73,173)を取り付けた単一の基板(71,171)と、該基板(71,171)を設置する設置部(74,174)とを備え、
前記本体枠(12,112)および開閉部材(13,113)の組合わせに応じて前記基板(71,171)および設置部(74,174)の形状を変更するよう構成したことを要旨とする。
【０００８】
このように、前記本体枠および開閉部材の組合わせに応じて基板および設置部の形状を変更することで、形状の異なる設置部へ基板が取り付けられるのを防止できる。すなわち、基板を取り付け得る設置部が本体枠および開閉部材の組合わせ毎に異なるから、本体枠および開閉部材の組合わせに適合する基板が、本体枠および開閉部材の組合わせに対応しない遊技盤の設置部に対して誤って取り付けられるのを防止し得る。また、飾り部材は合成樹脂製であるから、前記設置部の形状を容易に変更することができる。
【０００９】
請求項３に係る遊技機における遊技盤判別構造は、前記遊技盤収容枠部(20,120)に対して前記遊技盤(18,118)を前側から着脱し得るよう構成すると共に、前記本体枠(12,112)および開閉部材(13,113)の組合わせに応じて前記第１被接続部(72,172)の形状のみ変更することを要旨とする。
【００１０】
すなわち、本体枠および開閉部材の組合わせに応じて、照明装置が接続される第１被接続部の形状のみ変更することで、前記遊技盤収容枠部に対して遊技盤を前側から取り付けた際に、第１接続部と第１被接続部との接続の可否を確認することができる。
【００１１】
請求項４に係る遊技機における遊技盤判別構造は、前記中継接続部(70,170)は、前記遊技盤収容枠部(20,120)へ遊技盤(18,118)を設置した際に、前記本体枠(12,112)に対して開閉部材(13,113)を開閉可能に枢支するヒンジ機構(33,133)側に位置するよう前記飾り部材(60,160)に設けられることを要旨とする。
【００１２】
このように、遊技盤収容枠部へ遊技盤を設置した際に、開閉部材を枢支するヒンジ機構側に中継接続部が位置するよう設けることで、開閉部材の照明装置と中継接続部とを接続する配線の取り回しが容易になり、遊技盤の設置作業および第２接続部と第２被接続部との接続の可否の判定作業を簡単になし得る。
【発明の効果】
【００１３】
本発明によれば、本体枠を変更することなく開閉部材に設けた照明装置の照明による演出を行ない得る遊技盤が制限されるから、特定の遊技盤を遊技盤収容枠部に設置した遊技機を遊技に供することが可能となる。
【発明を実施するための最良の形態】
【００１４】
本発明に係る遊技機における遊技盤判別構造につき好適な実施例１および２を挙げて、添付図面を参照しながら、以下詳細に説明する。なお実施例１および２では、遊技機として、パチンコ球を遊技媒体として使用する一般的なパチンコ機を例にして説明する。なお、以下の説明において、「前」、「後」、「左」、「右」とは、図１に示すように中枠１２に対して前枠１３を閉成したパチンコ機１０を正面から見た状態を基準として指称するものとする。
【実施例１】
【００１５】
実施例１に係るパチンコ機１０の概略構成について、図１または図３を参照して説明する。パチンコ機１０は、遊技店に設けられた「島」とも称される設置枠台(図示せず)に固定される外枠１１と、該外枠１１に対して着脱および開閉可能に枢支された中枠(本体枠)１２と、該中枠１２に着脱交換可能に取り付けられて所要の遊技領域４６が画成される遊技盤１８と、ヒンジ機構３３を介して中枠１２の前面側に着脱および開閉可能に枢支され、中枠１２に配設した遊技盤１８を透視保護する透明板１４を備えた前枠(開閉部材)１３とを備えている。前記前枠１３には、前記透明板１４の下方位置にパチンコ球を貯留可能な上球皿１５が組み付けられており、前枠１３の開閉に合わせて該上球皿１５が一体的に開閉するようになっている。また、前記中枠１２の前側における前記前枠１３の下方には、パチンコ球を貯留可能な下球皿１６を形成した球皿部材１７が着脱および開閉可能に組み付けられている。なお、前記中枠１２における球皿部材１７の右方位置には、操作ハンドル１９が設けられており、該操作ハンドル１９を操作することで、中枠１２に配設した打球発射機構部９０が作動して上球皿１５のパチンコ球を遊技盤１８へ向けて打ち出すよう構成されている。
【００１６】
（中枠について）
ここで、前記中枠１２は、図３に示すように、上側縁をなす上枠部１２ａと、下側縁をなし、前記打球発射機構部９０等を設置する設置部材として機能する下枠部１２ｂと、左側縁をなす左枠部１２ｃ(図４参照)と、右側縁をなす右枠部１２ｄとから略矩形状に形成されて、全体が前記外枠１１の開口領域に整合する大きさに構成される。ここで、前記各枠部１２ａ,１２ｂ,１２ｃ,１２ｄにより画成された前後に開口する開口領域が、前記遊技盤１８を設置する遊技盤収容枠部２０として機能する。なお、前記打球発射機構部９０とは、前記下枠部１２ｂに配設される発射レール９０ａと、前記上球皿１５の裏側に配設されてパチンコ球を１個ずつ発射レールへ送出す球送り装置９０ｂと、前記操作ハンドル１９の操作により作動し、作動により発射レール９０ａ上のパチンコ球を遊技盤の遊技領域４６へ向けて打ち出す打球部(図示せず)とから構成されている。
【００１７】
また、前記中枠１２の裏側には、図２に示すように、前記遊技盤収容枠部２０と対応する位置を開口させた機構セット盤２５が配設されており、該機構セット盤２５の上部位置に、パチンコ球を貯留可能な球タンク２１や、該球タンク２１に貯留したパチンコ球を一列に整列するタンクレール２２が設けられている。また、前記機構セット盤２５における前記ヒンジ機構３３側(図２では右側)の端部には、上下に延在する球払出機構部９２が設けられている。ここで、前記球払出機構部９２は、前記タンクレール２２に連通する第１球流通路２３と、該第１球流通路２３の下端に連通する球払出装置９３と、該球払出装置９３および前記上下の球皿１５,１６に連通する第２球流通路２４とから構成されており、球払出装置９３の作動により前記球タンク２１からタンクレール２２に供給されたパチンコ球を、上下の球皿１５,１６に給出するようになっている。
【００１８】
なお、図３に示すように、前記上下の枠部１２ａ,１２ｂにおける遊技盤収容枠部２０に臨む右側部には、回転により前記遊技盤１８の対応する上下端部を保持または保持解除する回転式の第１保持具３０,３０が設けられると共に、前記左枠部１２ｃにおける遊技盤収容枠部２０に臨む部位には、前記遊技盤１８の左端部を支持する第２保持具３１,３１が上下に離間する位置に配設されている。そして、前記遊技盤収容枠部２０に対して遊技盤１８を前側から臨ませて、該遊技盤１８の左端部を前記第２保持具３１,３１で保持した状態で、遊技盤の上下の右端部を前記第１保持具３０,３０で保持することで、該遊技盤収容枠部２０に遊技盤１８が収容保持されるようになっている。一方、遊技盤収容枠部２０から遊技盤１８を取り出すに際しては、中枠１２の前側から前記第１保持具３０,３０を操作して遊技盤１８の保持を解除した後に、該遊技盤１８を前側に取り出して第２保持具３１,３１から離間させることで行なわれる。すなわち、実施例１では、遊技盤収容枠部２０に対して遊技盤１８を中枠１２の前側から着脱し得るよう構成されている。
【００１９】
（前枠について）
前記前枠１３は、全体が合成樹脂成形されて、図３または図４に示すように、前記中枠１２の左側部に配置されたヒンジ機構３３を介して開閉自在に枢支されると共に、該前枠１３に形成した開口部１３ａ(図１参照)に臨むよう前記透明板１４が組み付けられて、前枠１３を閉成した際に遊技盤収容枠部２０に設置した遊技盤１８の遊技領域４６を前面側から視認し得るよう構成される。ここで、前記中枠１２に対して前枠１３を閉成した状態では、該前枠１３の下部(上球皿１５の形成部位に対応する位置)が中枠１２の下枠部１２ｂに対向すると共に、前記開口部１３ａの下縁が下枠部１２ｂより上方に位置するよう構成されて、前枠１３の下部位置が前記遊技盤収容枠部２０に収容した遊技盤１８と前後の関係で重なるようになっている。
【００２０】
（第１嵌合部について）
また、図５に示すように、前記前枠１３の下部位置における遊技盤１８(具体的には後述する非遊技領域４７の飾り部材６０)と前後に重なる部位には、第１嵌合部３５としての第１嵌合突部３６が遊技盤１８側に突出形成されると共に、該第１嵌合部３５としての第１嵌合凹部３７が凹設されている。実施例１では、前記第１嵌合突部３６および第１嵌合凹部３７の夫々は、前記ヒンジ機構３３から離間した端部側(すなわち前枠１３の右側)に位置すると共に、第１嵌合凹部３７より第１嵌合突部３６が右側に位置するよう形成してある。なお、本発明において、ヒンジ機構３３から離間した端部側とは、遊技盤１８においてヒンジ機構３３から離間する半分の領域を含む概念で用いるものとする。
【００２１】
また、前記第１嵌合突部３６は略四角錐状に突出され、第１嵌合凹部３７は略矩形状を呈する開口端から奥側に行くにつれて窄むよう凹設されている。ここで、前記第１嵌合突部３６の突出寸法は、前枠１３と遊技盤１８の飾り部材６０との離間寸法より大きく設定されている(図７(b)参照)。すなわち、前記前枠１３の閉成時に前記第１嵌合突部３６と対応する位置に、該第１嵌合突部３６と嵌合する形状で凹部(後述する第２嵌合凹部６６)が遊技盤１８(飾り部材６０)に形成されている場合に限り、前枠１３を中枠１２に対して完全に閉成し得るようになっている。ここで、「対応する位置」とは、第２嵌合凹部６６が形成されていない場合に第１嵌合突部３６が当接する位置を指し、「嵌合する形状」とは、第２嵌合凹部６６の開口形状および内部形状が、第１嵌合突部３６と整合する形状だけでなく、第１嵌合突部３６の外郭形状より大きく形成されて第１嵌合突部３６が挿入される形状を含むものである。
【００２２】
また、前記前枠１３には、ＬＥＤ等の発光体を実装した発光体基板と、該発光体基板から導出した中継用配線が接続された中継端子板(何れも図示せず)とを備えた照明装置３９が配設されている。そして、前記照明装置３９に接続した第１の配線４０が、前記遊技盤１８に配設されるランプ制御装置(制御装置)５６(図２参照)に電気的に接続されて、該ランプ制御装置５６の制御に基づいて照明装置３９の発光体が点灯・点滅等するようになっている。なお、前記照明装置３９の前側は光透過性のランプカバー４１で被覆してある(図１または図４参照)。
【００２３】
（遊技盤について）
前記遊技盤１８の前面(すなわち盤面)には、図３に示すように、略円形状に湾曲形成された外レール４４と、該外レール４４の内側左部に離間して配置される円弧状の内レール４５とからなる案内レール４３が配設されており、該案内レール４３の内側にパチンコ球が流下する遊技領域４６が画成されると共に、該案内レール４３の外側に非遊技領域４７が画成されている。そして、前記遊技盤１８における遊技領域４６内に、各種図柄等を変動表示可能な図柄表示装置５０や、パチンコ球の入賞により図柄表示装置５０での図柄変動ゲームを開始する始動入賞装置５１、図柄変動ゲームの結果として大当りの発生(例えば同一図柄の３つ揃い等)により開放する特別入賞装置５２、その他の一般入賞装置５３や電飾装置５４等の遊技用部品が配置される。そして、実施例１のパチンコ機１０は、前記中枠１２に配設した打球発射機構部９０から発射されたパチンコ球が案内レール４３に沿って遊技領域４６内に打ち出され、該遊技領域４６内を流下するパチンコ球が始動入賞装置５１に入賞することで図柄表示装置５０において図柄変動ゲームが開始されて所定の遊技が行なわれるようになっている。
【００２４】
ここで、前記図柄表示装置５０は、図４に示すように、液晶表示装置と、該液晶表示装置を制御する表示制御装置(何れも図示せず)とをケース体５０ａに収容して構成されて、該ケース体５０ａが前記遊技盤１８の裏面に設けた枠状の取付部材５５に着脱可能に取り付けられる。前記ケース体５０ａの後面には、前記前枠１３に設けた前記照明装置３９や、前記遊技盤１８に設けた前記電飾装置５４に電気的に接続されるランプ制御装置５６が取り付けられており、該ランプ制御装置５６の制御に基づいて、照明装置３９および電飾装置５４の夫々が点灯等するようになっている。なお、前記照明装置３９に電気的に接続される第２の配線５７は前記ランプ制御装置５６の左後端部から導出されている。なお、前記遊技盤１８における左上方の隅部は所定範囲に亘って切り欠かれて、前後に開口する挿通部１８ａが形成されている(図４、図８または図９参照)。
【００２５】
また、図３に示すように、前記遊技盤１８に画成された前記非遊技領域４７には、所要の装飾が施された合成樹脂製の飾り部材６０が配設される。ここで、前記飾り部材６０の裏側には、一体成形されたボス(図示せず)が後方へ突出するよう複数箇所に突設されており、遊技盤１８に形成した嵌合孔(図示せず)に各ボスを圧入することで、飾り部材６０が遊技盤１８の所定位置に取り付けられるようになっている。なお、実施例１では、前記コーナー飾り部材６０は、遊技盤１８の右上部から右下部に亘って位置するよう一体形成された第１コーナー部材６１と、遊技盤１８の左上部から左下部に亘って位置するよう一体形成された第２コーナー部材６２とから構成されて、第１および第２コーナー部材６１,６２により前記非遊技領域４７の略全域を覆うようになっている。
【００２６】
（第２嵌合部について）
図６に示すように、前記第１コーナー部材６１の下端部(すなわち遊技盤１８におけるヒンジ機構３３から離間する端部側)には、第２嵌合部６５としての第２嵌合凹部６６が凹設されると共に、該第２嵌合部６５としての第２嵌合突部６７が前方へ突出形成されている。すなわち、前記第２嵌合凹部６６および第２嵌合突部６７の夫々は、前記遊技盤収容枠部２０に遊技盤１８を収容した状態において、前記中枠１２に対して閉成した前枠１３と前後に重なる位置に設けられている。また実施例１では、前記該第２嵌合凹部６６および第２嵌合突部６７の夫々は、遊技盤１８を遊技盤収容枠部２０に収容した状態において、第２嵌合突部６７より第２嵌合凹部６６が右側(ヒンジ機構３３から離間する端部側)に位置するよう形成してある。そして、前記第２嵌合凹部６６は略矩形状を呈する開口端から奥側に行くにつれて窄むよう凹設され、第２嵌合突部６７は略四角錐状に突出されている。また、前記第２嵌合突部６７の突出寸法は、遊技盤１８(飾り部材６０)と前枠１３との離間寸法より大きく設定されている(図７(b)参照)。
【００２７】
すなわち、前枠１３の閉成時に第２嵌合突部６７と対応する位置に、該第２嵌合突部６７と嵌合する形状で前記前枠１３に第１嵌合凹部３７が形成されている場合に限り、前枠１３を中枠１２に対して完全に閉成し得るようになっている。ここで、「対応する位置」とは、第１嵌合凹部３７が形成されていない場合に第２嵌合突部６７が当接する位置を指し、「嵌合する形状」とは、第１嵌合凹部３７の開口形状および内部形状が、第２嵌合突部６７と整合する形状だけでなく、第２嵌合突部６７の外郭形状より大きく形成されて第２嵌合突部６７が挿入される形状をも含むものである。
【００２８】
（中継接続部について）
また、前記第２コーナー部材６２における前記遊技盤１８に形成した前記挿通部１８ａに対応する位置には、図８〜図１０に示すように、前記前枠１３の照明装置３９に接続した第１の配線４０と、前記ランプ制御装置５６に接続した第２の配線５７とを接続する中継接続部７０を設けてある。前記中継接続部７０は、前記第２コーナー部材６２の前面から後方に向けて凹む設置部７４に、中継基板７１を着脱可能に配設して構成される。ここで、前記中継基板７１は、図８、図１０または図１１に示すように略矩形板状に形成されて、左上部に切欠７１ａが形成されている。そして、前記中継基板７１の前面左側位置に第１コネクタ差込口(第１被接続部)７２が取り付けられ、裏面右側位置に第２コネクタ差込口(第２被接続部)７３が取り付けられている。そして、前記第１コネクタ差込口７２に対して前記第１の配線４０の先端部に取り付けた第１コネクタ(第１接続部)４０ａを接続し、第２コネクタ差込口７３に対して第２の配線５７の先端部に取り付けた第２コネクタ(第２接続部)５７ａを接続することで、前記照明装置３９とランプ制御装置５６とが電気的に接続されるようになっている。
【００２９】
前記設置部７４は、図１０に示すように、前方に開口するよう前記第２コーナー部材６２に凹設されると共に前後に貫通する挿通孔７５(図１２参照)が形成されている。ここで、前記設置部７４は、前方開口形状が前記中継基板７１に略整合するよう左上部に内側に突出する突出部７４ａが形成されており、設置部７４に中継基板７１配設した際に、中継基板７１の切欠７１ａと突出部７４ａとが対応するようになっている。また、前記設置部７４における前記挿通孔７５の右側位置には、前記中継基板７１の右端部を挿脱可能な係合部７６が形成されると共に、該設置部７４における挿通孔７５の左側位置には、該中継基板７１の左端部に係合可能な係合フック７７が弾性変形可能に形成されている。すなわち、前記中継基板７１の右端部を係合部７６に挿入して係合させた状態で、中継基板７１の左端部に係合フック７７を係合させることで、中継基板７１を設置部７４に保持し得るようになっている。このとき、中継基板７１に設けた第２コネクタ差込口７３は、前記挿通孔７５を介して第２コーナー部材６２の裏側へ露出すると共に、挿通部１８ａを介して遊技盤１８の裏側へ露出する。
【００３０】
また、前記第２コーナー部材６２の左側部における前記設置部７４(中継接続部７０)に対応する位置には、切欠部７８(図８または図１０参照)が形成されており、該切欠部７８を介して設置部７４が左方向に開口するよう構成されている。そして、前記中枠１２の左枠部１２ｃと第２コーナー部材６２との間に画成される空間７９(図９参照)に、前記中継接続部７０が連通している。すなわち、前記中継接続部７０の前側を後述するカバー部材８３で被覆した状態では、前枠１３からの第１の配線４０は、前記切欠部７８を介して前記設置部７４に導入され、前記前枠１３を中枠１２に対して閉成した状態では、前記空間７９に第１の配線４０が収容されるよう構成される。
【００３１】
なお、図８に示すように、前記第２コーナー部材６２における設置部７４の上部位置には、左右方向に所要間隔離間する位置に前側に向けて突出する一対の支持片８１,８１が形成されて、両支持片８１,８１の前端部を連結する軸部８１ａに前記カバー部材８３が軸支される。また、第２コーナー部材６２における前記設置部７４の下部を画成する部位には、係合孔８０を形成してある。
【００３２】
図３または図８に示すように、前記カバー部材８３は、前記中継接続部７０の略全体を被覆する平板状に形成されて、該カバー部材８３により中継接続部７０を遊技者側から視認し得ないようにしている。なお、前記カバー部材８３の前面は、前記第２コーナー部材６２の前面に合わせた意匠形状に形成されて、該カバー部材８３で中継接続部７０を被覆した際に、飾り部材６０の全体を統一感のある意匠として違和感を生じ難くしている。また、前記カバー部材８３の裏面における右上方位置には、前記第２コーナー部材６２に形成した軸部８１ａに枢支される支持部８４が形成されると共に、前記カバー部材８３の下端部には、上下方向に弾性変形可能で、前記第２コーナー部材６２の係合孔８０に係脱自在に係合し得る弾性片８５が形成されている。すなわち、前記カバー部材８３は、前記軸部８１ａを中心に回動し得ると共に、前記弾性片８５が前記係合孔８０に係合することで、前記設置部７４(中継接続部７０)を閉成する状態でカバー部材８３の回動を規制し得るよう構成される。そして、この状態で弾性片８５を上方に弾性変形することにより、弾性片８５と係合孔８０との係合が解除されて、カバー部材８３を回動して前記設置部７４(中継接続部７０)を開放し得るようになっている。
【００３３】
次に、実施例１のパチンコ機１０において、中枠１２の遊技盤収容枠部２０に収容された遊技盤１８の判別につき説明する。
【００３４】
（前枠１３の第１嵌合部３５および遊技盤１８の第２嵌合部６５による判別について）
前記前枠１３の下部位置における遊技盤１８の非遊技領域４７と前後に重なる部位には、第１嵌合突部３６を遊技盤１８側に突出形成すると共に、第１嵌合凹部３７を凹設してある。また、前記遊技盤１８の第１コーナー部材６１には、第２嵌合凹部６６を凹設すると共に、第２嵌合突部６７を突出形成してある。ここで、実施例１では、前記第１嵌合突部３６と第２嵌合突部６７の突出寸法を、前枠１３と遊技盤１８の第１コーナー部材６１との離間距離より大きく設定してある。従って、図７に示すように、前記前枠１３を中枠１２に対して閉成した際に、遊技盤１８における前記第１嵌合突部３６と対応する位置に該第１嵌合突部３６と嵌合する凹部が形成されていない場合、および前枠１３における前記第２嵌合突部６７と対応する位置に該第２嵌合突部６７と嵌合する凹部が形成されていない場合には、前枠１３を閉成することができない。
【００３５】
例えば図７(c)に示すように、遊技盤１８において、前記前枠１３の第１嵌合突部３６と対応する位置に第２嵌合凹部６６が形成されていない場合には、前枠１３を閉成するに際して第１嵌合突部３６が遊技盤１８(第１コーナー部材６１)に接触し、前枠１３が完全に閉成されるのは阻止される。同様に、遊技盤１８の第２嵌合突部６７と対応する位置に第１嵌合凹部３７が形成されていない場合には、前枠１３を閉成するに際して第２嵌合突部６７が前枠１３に接触して、前枠１３が完全に閉成されるのは阻止される。
【００３６】
また、前記遊技盤１８において前記第１嵌合突部３６に対応する位置に前記第２嵌合凹部６６が形成されていたとしても、図７(d)に示すように、該第１嵌合突部３６と第２嵌合凹部６６とが相互に嵌合不能な形状に形成される場合は、前枠１３を閉成するに際して第１嵌合突部３６が第２嵌合凹部６６に嵌合せず、前枠１３が完全に閉成されるのは阻止される。ここで、前記第１嵌合突部３６と相互に嵌合可能な位置および形状で前記第２嵌合凹部６６が形成され、前記第２嵌合突部６７に対応する位置に前記第１嵌合凹部３７が形成されていたとしても、該第２嵌合突部６７と第１嵌合凹部３７とが相互に嵌合不能な形状に形成される場合は、前枠１３を閉成するに際して第２嵌合突部６７が第１嵌合凹部３７に嵌合せず、前枠１３が完全に閉成されるのは阻止される。
【００３７】
すなわち、前記前枠１３に形成した第１嵌合部３５(第１嵌合突部３６および第１嵌合凹部３７)と、前記中枠１２の遊技盤収容枠部２０に収容した遊技盤１８の第２嵌合部６５(第２嵌合凹部６６および第２嵌合突部６７)とが、相互に嵌合する位置および形状で形成されている場合(図７(a)参照)に限って、前枠１３を中枠１２に対して閉成することができる(図７(b)参照)。従って、中枠の基本構成をそのままに、外観上のデザインを変更する、所謂マイナーチェンジ等により変更される前後の前枠１３毎に、前記第１嵌合部３５(第１嵌合突部３６および第１嵌合凹部３７)の形成位置および形状を変更すると共に、この前枠１３の変更に対応して遊技盤１８に形成する第２嵌合部６５(第２嵌合凹部６６および第２嵌合突部６７)の形成位置および形状も変更することで、中枠１２に組み付けた前枠１３に応じて遊技盤収容枠部２０に収容可能な遊技盤１８が特定される。換言すると、前枠１３における第１嵌合部３５の形成位置や形状を変更するだけで、中枠１２に支持した前枠１３の種類に応じた遊技盤１８が中枠１２の遊技盤収容枠部２０に収容されているか否かを判別でき、中枠１２に対して特定の遊技盤１８のみを設置した場合に限り、パチンコ機１０として遊技に供することが可能となる。
【００３８】
このように、前枠１３における第１嵌合部３５(第１嵌合突部３６および第１嵌合凹部３７)の形成位置および形状を変更すると共に、この前枠１３の変更に対応して遊技盤１８に形成する第２嵌合部６５(第２嵌合凹部６６および第２嵌合突部６７)の形成位置および形状も変更することで、中枠１２に配設した前枠１３と、遊技盤収容枠部２０に収容した遊技盤１８との組合わせが適正か否かを判別できるから、異なるデザインのパチンコ機１０間における遊技盤１８の互換性をなくし、公的機関の検査を受けた適正な組合わせで中枠１２、前枠１３および遊技盤１８を組み付けた場合に限って遊技に供することができる。
【００３９】
また、所謂マイナーチェンジのように、中枠の基本構成をそのままに外観上のデザインを変更するには、前枠１３に関しては必然的に変更する必要があることから、該前枠１３を変更する毎に第１嵌合部３５(第１嵌合突部３６および第１嵌合凹部３７)の形成位置や形状を変更するだけで中枠１２に設置可能な遊技盤１８を変更できる(遊技盤１８の互換性をなくすことができる)から、中枠１２の変更等の余計なコストの低減を図り得る。更に、所謂マイナーチェンジに際して中枠１２を変更する必要がないから、デザイン毎に中枠１２を保管・管理する必要もなく、保管場所の確保が容易になると共に保管に要する維持費を抑制することができる。そして、実施例１では、前記第２嵌合部６５(第２嵌合凹部６６や第２嵌合突部６７)を、遊技盤１８の非遊技領域４７に配設した第１コーナー部材６１に設けるようにしたから、該第２嵌合部６５が遊技領域４６を流下するパチンコ球に接触して遊技に影響を及ぼすことはない。また、合成樹脂製の第１コーナー部材６１に第２嵌合部６５(第２嵌合凹部６６や第２嵌合突部６７)を設けるようにしたことで、該第２嵌合部６５を容易に形成し得る。また、前記第１コーナー部材６１は、遊技盤１８の非遊技領域４７に設けられる程度の小さな部材のため、前枠１３における第１嵌合部３５の形成位置や形状に応じて第２嵌合部６５を形成した多種類の第１コーナー部材６１を用意したとしても、当該第１コーナー部材６１の保管に際して大きなスペースを確保する必要がない。ここで、遊技盤１８に第１コーナー部材６１を組み付けるに際しては、多種類用意した第１コーナー部材６１から、前枠１３に設けられた第１嵌合部３５と形成位置および形状が対応する第２嵌合部６５を設けた第１コーナー部材６１を選択して、該第１コーナー部材６１に一体成形した各ボスを遊技盤１８に形成した嵌合孔に圧入するだけで、前枠１３に形成された第１嵌合部３５に応じた第１コーナー部材６１を遊技盤１８に簡単に取り付けることができ、組み付け作業の効率向上が図られる。
【００４０】
また、実施例１では、前記第１および第２嵌合部３５,６５を、前記中枠１２に対して前枠１３を開閉自在に支持するヒンジ機構３３から離間する端部側に設けるようにしたから、該第１嵌合部３５の形成位置における回転半径が大きくなる。すなわち、前枠１３の開閉動作時に、第１嵌合突部３６と第２嵌合凹部６６および第１嵌合凹部３７と第２嵌合突部６７の夫々が干渉し難くなり、対応する嵌合突部３６,６７と嵌合凹部３７,６６とをスムーズに嵌合および嵌合離脱させることができる。特に、実施例１では、第１および第２嵌合突部３６,６７の夫々を略四角錐状に突出形成してあるから、前枠１３の開閉時に各嵌合突部３６,６７が対応する嵌合凹部３７,６６に容易に挿脱され、嵌合突部３６,６７が前枠１３や第１コーナー部材６１に接触し難い。また、ヒンジ機構３３から離間する端部側に第１および第２嵌合部３５,６５が位置することで、前枠１３の開閉動作に要する両嵌合部３５,６５間のクリアランス(すなわち第１嵌合凹部３７および第２嵌合凹部６６の開口寸法)を小さくすることができる。従って、遊技盤１８の見栄えを損なうことはない。
【００４１】
（コネクタおよびコネクタ差込口による判別について）
また、前記遊技盤１８の非遊技領域４７に配設した第２コーナー部材６２に中継接続部７０を設けて、該中継接続部７０における中継基板７１の前面に設けた第１コネクタ差込口７２に、前記前枠１３の照明装置３９からの第１の配線４０に取り付けた第１コネクタ４０ａを接続すると共に、中継基板７１の裏面に設けた第２コネクタ差込口７３に、前記遊技盤１８のランプ制御装置５６からの第２の配線５７に取り付けた第２コネクタ５７ａを接続するよう構成してある。すなわち、図１１(a)に示すように、前記第１コネクタ４０ａを第１コネクタ差込口７２に接続し得ると共に、前記第２コネクタ５７ａを第２コネクタ差込口７３接続し得る場合に、前記照明装置３９とランプ制御装置５６とが電気的に接続され(図１１(b)参照)、照明装置３９の照明による正常な演出が可能となる。
【００４２】
これに対して、図１１(c)に示すように、前記第１の配線４０の第１コネクタ４０ａと第１コネクタ差込口７２の形状が異なる場合には、該第１コネクタ４０ａを第１コネクタ差込口７２に接続することができない。すなわち、前記前枠１３の照明装置３９を遊技盤１８のランプ制御装置５６に電気的に接続し得ないから、前枠１３に設けた照明装置３９を点灯・点滅等することができず、照明による正常な演出が不能となる。同様に、前記第２の配線５７の第２コネクタ５７ａと第２コネクタ差込口７３の形状が異なる場合にも、該第２コネクタ５７ａを第２コネクタ差込口７３に接続することができないから、前記前枠１３の照明装置３９が遊技盤１８のランプ制御装置５６に電気的に接続されず、前枠１３に設けた照明装置３９の照明による正常な演出が不能となる。
【００４３】
このように、前記第１の配線４０の第１コネクタ４０ａと第１コネクタ差込口７２の形状、および前記第２の配線５７の第２コネクタ５７ａと第２コネクタ差込口７３の形状の夫々が、相互に接続可能な形状で形成されている場合に限って、前枠１３の照明装置３９の適正な照明による演出を行ない得る。従って、所謂マイナーチェンジ等により変更される前後の前枠１３毎に、第１の配線４０に設ける第１コネクタ４０ａの形状を変更すると共に、この変更に対応して遊技盤１８の中継基板７１(中継接続部７０)に設ける第１コネクタ差込口７２の形状も変更することで、中枠１２に組み付けた前枠１３に応じて遊技盤収容枠部２０に収容可能な遊技盤１８が特定される。換言すると、前枠１３から導出される第１の配線４０の第１コネクタ４０ａを変更するだけで、中枠１２に配設した前枠１３の種類に応じた遊技盤１８が中枠１２の遊技盤収容枠部２０に収容されているか否かを判別でき、中枠１２に対して特定の遊技盤１８を設置した場合に限り、パチンコ機１０として遊技に供することが可能となる。
【００４４】
特に、実施例１のように前記中枠１２の遊技盤収容枠部２０に対して遊技盤１８を前側から着脱する構成とした場合には、前枠１３の変更に応じて、前記第１コネクタ４０ａと第１コネクタ差込口７２の形状を変更することで、遊技盤収容枠部２０に対して遊技盤１８を取り付けた際に、第１コネクタ４０ａと第１コネクタ差込口７２との接続の可否を確認すれば、適正な遊技盤１８が遊技盤収容枠部２０に設置されているか否かを短時間で容易に判別することができ、作業効率の向上が図られる利点がある。
【００４５】
また、前述のように第１コネクタ４０ａと第１コネクタ差込口７２の形状、あるいは第２コネクタ５７ａと第２コネクタ差込口７３の形状の少なくとも一方の形状を変更するだけで中枠１２に設置可能な遊技盤１８を特定できるから、中枠１２の変更等の余計なコストの低減を図り得る。更に、所謂マイナーチェンジに際して中枠１２を変更する必要がないから、デザイン毎に中枠１２を保管・管理する必要もなく、保管場所の確保が容易になると共に保管に要する維持費を抑制することができる。そして、実施例１では、前記中継接続部７０を遊技盤１８の非遊技領域４７に配設した第２コーナー部材６２に設けるようにしたから、該中継接続部７０が遊技領域４６を流下するパチンコ球に接触する等の不具合は防止され、遊技に影響を及ぼすことはない。また、合成樹脂製の第２コーナー部材６２に中継接続部７０を設けるようにしたことで、該中継接続部７０を容易に形成し得る。
【００４６】
また、遊技盤収容枠部２０へ遊技盤１８を設置した際に、前枠１３を枢支するヒンジ機構３３側に中継接続部７０が位置するよう構成したことで、第１の配線４０の長さを必要最小限にできる。すなわち、前枠１３の照明装置３９と中継接続部７０とを接続する第１の配線４０の取り回しが容易になり、遊技盤１８の設置作業および第１コネクタ４０ａと第１コネクタ差込口７２との接続の可否の判定作業を簡単になし得る。また、第１の配線４０が短くなることで、前枠１３の開閉時における第１の配線４０の噛み込みを防止でき、該配線４０の断線等による不具合を回避し得る。
【００４７】
（設置部７４の開口形状と中継基板７１の外郭形状）
また、実施例１では、前記中継基板７１の左上部を切り欠くよう形成すると共に、遊技盤１８の中継接続部７０における設置部７４を、該中継基板７１に略整合する形状で前方に開口するよう形成してある。このように、前記中継基板７１の外郭形状と、前記設置部７４の開口形状とが整合する場合には、該設置部７４に対して中継基板７１を設置すると共に、中継基板７１の第１コネクタ差込口７２および第２コネクタ差込口７３に各対応のコネクタ４０ａ,５７ａを接続することで、前記発光体基板とランプ制御装置５６とが電気的に接続され、前記照明装置３９の照明による正常な演出が可能となる。一方、前記中継基板７１の外郭形状と、前記設置部７４の開口形状とが整合しない場合には、該設置部７４に対する中継基板７１の設置が阻止される(図１２参照)。すなわち、前記設置部７４(中継接続部７０)への中継基板７１の設置を阻止することで、作業者に対して組み付け異常を認識させることができる。
【００４８】
すなわち、所謂マイナーチェンジ等による前枠１３の変更に応じて、中継接続部７０における設置部７４の開口形状を変更すると共に、前記中継基板７１の外郭形状も変更し、前記中枠１２および前枠１３の組合わせに応じて中継基板７１および設置部７４の形状を特定することで、形状の異なる設置部７４へ中継基板７１が取り付けられるのを防止できる。
【００４９】
すなわち、中継基板７１を取り付け得る設置部７４(すなわち遊技盤１８)が、中枠１２および前枠１３の組合わせ毎に異なるから、特定の中枠１２および前枠１３の組合わせに適合する中継基板７１が、この特定の組合わせと異なる中枠１２用の遊技盤１８の設置部７４に対して誤って取り付けられるのを防止し得る。換言すれば、異なるデザインのパチンコ機１０間における遊技盤１８の互換性をなくして、公的機関の検査を受けた適正な組合わせで中枠１２、前枠１３および遊技盤１８を組み付けた場合に限ってパチンコ機１０として遊技に供することがより確実に可能となる。
【００５０】
ここで、前記設置部７４は合成樹脂製の第２コーナー部材６２に設けられるから、マイナーチェンジ等による前枠１３の変更に応じて設置部７４の形状を容易に形成し得る。また、前述と同様に、中枠１２に変更を加える必要がないから、コストや中枠１２の保管・管理等に要する負担の増加を招来することはない。また、前記第２コーナー部材６２は、遊技盤１８の非遊技領域４７に設けられる程度の小さな部材のため、中継基板７１の形状に応じて設置部７４を形成した多種類の第２コーナー部材６２を用意したとしても、当該第２コーナー部材６２の保管に際して大きなスペースを確保する必要がない。ここで、遊技盤１８に第２コーナー部材６２を組み付けるに際しては、多種類用意した第２コーナー部材６２から、中枠１２および前枠１３の組合わせに応じた中継基板７１を設置可能な設置部７４を設けた第２コーナー部材６２を選択して、該第２コーナー部材６２に一体成形した各ボスを遊技盤１８に形成した嵌合孔に圧入するだけで、中枠１２および前枠１３の組合わせに応じた第２コーナー部材６２を遊技盤１８に簡単に取り付けることができ、組み付け作業の効率向上が図られる。
【００５１】
〔実施例１の変更例〕
なお、本発明に係る遊技機における遊技盤判別構造としては、実施例１のものに限られず種々の変更が可能である。例えば、実施例１では、開閉部材の第１嵌合部を第１嵌合突部と第１嵌合凹部から構成し、遊技盤(飾り部材)の第２嵌合部を第２嵌合凹部と第２嵌合突部から構成するよう構成したが、これに限られるものではない。すなわち、適宜数の嵌合突部および嵌合凹部を第１嵌合部および第２嵌合部として、第１嵌合部と第２嵌合部とが相互に嵌合する場合に限り本体枠に対する開閉部材の閉成を許容する一方、第１嵌合部と第２嵌合部とが相互に嵌合しない場合には本体枠に対する開閉部材の閉成を阻止するようにしてもよい。すなわち、第１嵌合部および第２嵌合部における嵌合突部および嵌合凹部の数および組合わせは、マイナーチェンジ等による開閉部材の変更に応じて適宜変更するようにすればよい。
【００５２】
この場合に、開閉部材側に嵌合突部を設けた場合には、該嵌合突部に対応する嵌合凹部を有しないフラットな遊技盤が遊技盤収容枠部に設置された場合であっても開閉部材が閉成されるのを防止できる利点がある。一方、遊技盤側に嵌合突部を設けた場合には、該嵌合突部に対応する嵌合凹部を有しないフラットな開閉部材が本体枠に設けられている場合であっても開閉部材が閉成されるのを防止できる利点がある。
【００５３】
また実施例１では、第１および第２嵌合突部を略四角錐状に突出すると共に、第１および第２嵌合凹部を略矩形状を呈する開口端から奥側に行くにつれて窄むよう凹設したが、これに限定されるものではなく、これら嵌合突部を柱状に形成すると共に、嵌合凹部の形状を対応する形状に形成してもよく、またこれら嵌合突部および嵌合凹部の夫々をその他任意の形状となるよう形成することができる。
【００５４】
実施例１では、前記第１嵌合部(第１嵌合突部および第１嵌合凹部)を開閉部材の下部に形成するようにしたが、該開閉部材において、遊技盤に設けた非遊技領域(飾り部材)と前後に重なる位置であれば任意の位置に形成することができ、また同様に第２嵌合部(第２嵌合凹部および第２嵌合突部)についても、遊技盤の非遊技領域(飾り部材)において、開閉部材と前後に重なる位置であれば任意の位置に形成することができる。
【００５５】
また、実施例１では、本体枠としての中枠に開閉可能に組み付けた前枠を開閉部材として示したが、これに限られるものではなく、遊技機を構成する本体としての本体枠に対して開閉可能に組み付けた各種部材(例えば本体枠に球皿を開閉可能に組み付けた場合の球皿)を開閉部材とすることができる。ここで、開閉部材として球皿を採用した場合には、球皿の裏側において遊技盤の非遊技領域(飾り部材)と前後に重なる上部位置に、第１嵌合部が形成される。
【００５６】
また、実施例１では、第１被接続部および第２被接続部を設けた基板と、該基板を設置する設置部とから構成された中継接続部を飾り部材に設けるようにしたが、飾り部材に対して被接続部を直接取り付けて中継接続部を構成することも可能である。また、実施例１では、開閉部材に設けた照明装置を中継接続部に接続するよう構成したが、該開閉部材にスピーカ等の音声出力装置を配設し、照明装置および音声出力装置の夫々を、中継接続部を介して本体枠または遊技盤の裏側に設けた制御装置に接続するようにしてもよい。
【００５７】
また、実施例１では中継接続部の設置部に対して遊技盤の前側から基板を着脱し得る例を示したが、これに限らず、遊技盤の後側から設置部に基板を着脱するよう構成することも可能である。
【００５８】
また、実施例１では、開閉部材側の第１接続部および遊技盤側の第１被接続部を変更することで、遊技盤収容枠部に収容した遊技盤を判別するよう構成したが、これに限らず、第２接続部および第２被接続部を変更することで遊技盤収容枠部に収容した遊技盤を判別することも可能である。すなわち、遊技盤側の第２被接続部に接続される制御装置が本体枠に設置されている場合には、所謂マイナーチェンジ等により変更される前後の開閉部材毎に、第２接続部の形状を変更すると共に、この変更に対応して中継接続部の第２被接続部の形状も変更することで、本体枠に組み付けた開閉部材に応じて遊技盤収容枠部に収容可能な遊技盤が特定される。また、本体枠および開閉部材の組合わせに応じて(所謂マイナーチェンジ等の場合に変更前後の開閉部材毎に応じて)、第１接続部の形状と第１被接続部の形状、および第２接続部の形状と第２被接続部の形状の組合わせの両方を変更した場合には、一方の接続部と被接続部の形状を変更する場合に較べて、適正な遊技盤が遊技盤収容枠部に設置されているか否かをより確実に判別することが可能となる。
【００５９】
実施例１では、(Ａ)開閉部材の第１嵌合部と遊技盤の第２嵌合部とを利用した遊技盤の判別、(Ｂ)開閉部材や制御装置の接続部と遊技盤における中継接続部の被接続部とを利用した遊技盤の判別、を組み合わせた遊技機における遊技盤の判別構造を例示したが、(Ａ)に係る遊技機における遊技盤の判別構造のみを利用しても、本体枠を変更することなく特定の遊技盤のみを設置して遊技に供することが可能となる。
【００６０】
なお、実施例１では、遊技機としてのパチンコ機に配設される遊技盤を判別する構造を示したが、これに限られるものではなく、アレンジボール機等であってもよい。すなわち、本発明の遊技機における遊技盤判別構造は、遊技球が流下可能な遊技領域および遊技球が流下不能な非遊技領域を有し、該遊技領域内に、遊技球の流下方向に変化を与える複数の遊技釘や遊技球が入賞可能な入賞装置、電気的に作動制御される遊技部品を設けた遊技盤と、前記遊技盤を着脱可能に収容する遊技盤収容枠部を備える本体枠と、前記本体枠に設けられ、前記遊技盤収容枠部に収容した遊技盤の遊技領域へ向けて遊技球を発射する打球発射機構部と、前記本体枠に設けられ、前記遊技盤の入賞装置への遊技球の入賞に基づいて賞球を払出す賞球払出機構部と、前記遊技盤の遊技部品を作動制御する電気的制御装置と、前記本体枠に開閉可能に配設され、少なくとも一部が前記遊技盤の非遊技領域と前後に重なる開閉部材とを備えた遊技機であれば、何れの遊技機に対しても好適に適用することが可能である。
【実施例２】
【００６１】
次に、実施例２に係る遊技機における遊技盤判別構造につき説明する。
【００６２】
実施例２に係るパチンコ機１１０の概略構成について、図１３または図１５を参照して説明する。パチンコ機１１０は、遊技店に設けられた「島」とも称される設置枠台(図示せず)に固定される外枠１１１と、該外枠１１１に対して着脱および開閉可能に枢支された中枠(本体枠)１１２と、該中枠１１２に着脱交換可能に取り付けられて所要の遊技領域１４６が画成される遊技盤１１８と、ヒンジ機構１３３を介して中枠１１２の前面側に着脱および開閉可能に枢支され、中枠１１２に配設した遊技盤１１８を透視保護する透明板１１４を備えた前枠(開閉部材)１１３とを備えている。前記前枠１１３には、前記透明板１１４の下方位置にパチンコ球を貯留可能な上球皿１１５が組み付けられており、前枠１１３の開閉に合わせて該上球皿１１５が一体的に開閉するようになっている。また、前記中枠１１２の前側における前記前枠１１３の下方には、パチンコ球を貯留可能な下球皿１１６を形成した球皿部材１１７が着脱および開閉可能に組み付けられている。なお、前記中枠１１２における球皿部材１１７の右方位置には、操作ハンドル１１９が設けられており、該操作ハンドル１１９を操作することで、中枠１１２に配設した打球発射機構部１９０が作動して上球皿１１５のパチンコ球を遊技盤１１８へ向けて打ち出すよう構成されている。
【００６３】
（中枠について）
ここで、前記中枠１１２は、図１５に示すように、上側縁をなす上枠部１１２ａと、下側縁をなし、前記打球発射機構部１９０等を設置する設置部材として機能する下枠部１１２ｂと、左側縁をなす左枠部１１２ｃ(図１６参照)と、右側縁をなす右枠部１１２ｄとから略矩形状に形成されて、全体が前記外枠１１１の開口領域に整合する大きさに構成される。ここで、前記各枠部１１２ａ,１１２ｂ,１１２ｃ,１１２ｄにより画成された前後に開口する開口領域が、前記遊技盤１１８を設置する遊技盤収容枠部１２０として機能する。前記各枠部１１２ａ,１１２ｂ,１１２ｃ,１１２ｄの後端縁には、図１７に示すように、遊技盤収容枠部１２０の内側へ突出する支持壁１２６,１２６,１２６,１２６が形成されており、遊技盤収容枠部１２０に収容した遊技盤１１８の裏側を各支持壁１２６で支持するようになっている。なお、前記打球発射機構部１９０は、前記下枠部１１２ｂに配設される発射レール１９０ａと、前記上球皿１１５の裏側に配設されてパチンコ球を１個ずつ発射レールへ送出す球送り装置１９０ｂと、前記操作ハンドル１１９の操作により作動して発射レール１９０ａ上のパチンコ球を遊技盤の遊技領域１４６へ向けて打ち出す打球部(図示せず)とから構成されている。
【００６４】
また、図１８および図１９に示すように、前記上枠部１１２ａにおける遊技盤収容枠部１２０に臨む部位には、左右方向に所定間隔毎にネジ孔１２０ａが形成されると共に、各ネジ孔１２０ａの後方位置に位置決め孔１２０ｂが形成されており、該ネジ孔１２０ａの何れかに突状部材１２７が選択的にネジ止めされるようになっている。前記突状部材１２７は、図１８に示すように、略矩形状に形成されて、上下面の略中央位置を貫通する通孔１２７ａに挿通したネジ１２８を前記上枠部１１２ａ(遊技盤収容枠部１２０)のネジ孔１２０ａに螺挿することで、突状部材１２７を上枠部１１２ａ(遊技盤収容枠部１２０)に固定するよう構成されている(図１９(a)参照)。すなわち、前記上枠部１１２ａ(遊技盤収容枠部１２０)に形成したネジ孔１２０ａが突状部材１２７の取付部として機能して、該突状部材１２７が遊技盤収容枠部１２０の開口内側に突出するよう取り付けられる(図１９(b)参照)。また、前記突状部材１２７の後方位置には上方に突出する位置決め突部１２７ｂが形成されており、ネジ止めする前段階として該位置決め突部１２７ｂを前記上枠部１１２ａ(遊技盤収容枠部１２０)の位置決め孔１２０ｂに挿入することで、突状部材１２７を上枠部１１２ａの所定位置に位置決めし得るようになっている。ここで、前記突状部材１２７を固定するネジ１２８としては、締め付け方向にのみ回転可能なワンウェイネジが採用され、一旦締め付け固定された突状部材１２７の取り外しを困難にしている。また、前記突状部材１２７における各角部は面取りされており、全体的に丸みを帯びた形状に形成されている(図１８参照)。
【００６５】
図１４に示すように、前記中枠１１２の裏側には、前記遊技盤収容枠部１２０と対応する位置を開口させた機構セット盤１２５が配設されており、該機構セット盤１２５の上部位置に、パチンコ球を貯留可能な球タンク１２１や、該球タンク１２１に貯留したパチンコ球を一列に整列するタンクレール１２２が設けられている。また、前記機構セット盤１２５における前記ヒンジ機構１３３側(図１４では右側)の端部には、上下に延在する球払出機構部１９２が設けられている。ここで、前記球払出機構部１９２は、前記タンクレール１２２に連通する第１球流通路１２３と、該第１球流通路１２３の下端に連通する球払出装置１９３と、該球払出装置１９３および前記上下の球皿１１５,１１６に連通する第２球流通路１２４とから構成されており、球払出装置１９３の作動により前記球タンク１２１からタンクレール１２２に供給されたパチンコ球を、上下の球皿１１５,１１６に給出するようになっている。
【００６６】
なお、図１７に示すように、前記上下の枠部１１２ａ,１１２ｂにおける遊技盤収容枠部１２０に臨む右側部には、回転により前記遊技盤１１８の対応する上下端部を保持または保持解除する回転式の第１保持具１３０,１３０が設けられると共に、前記左枠部１１２ｃにおける遊技盤収容枠部１２０に臨む部位には、前記遊技盤１１８の左端部を支持する第２保持具１３１,１３１が上下に離間する位置に配設されている。そして、前記遊技盤収容枠部１２０に対して遊技盤１１８を前側から臨ませて、該遊技盤１１８の左端部を前記第２保持具１３１,１３１で保持した状態で、遊技盤の上下の右端部を前記第１保持具１３０,１３０で保持することで、該遊技盤収容枠部１２０に遊技盤１１８が収容保持されるようになっている。一方、遊技盤収容枠部１２０から遊技盤１１８を取り出すに際しては、中枠１１２の前側から前記第１保持具１３０,１３０を操作して遊技盤１１８の保持を解除した後に、該遊技盤１１８を前側に取り出して第２保持具１３１,１３１から離間させることで行なわれる。すなわち、実施例２では、遊技盤収容枠部１２０に対して遊技盤１１８を中枠１１２の前側から着脱し得るよう構成されている。
【００６７】
（前枠について）
前記前枠１１３は、全体が合成樹脂成形されて、図１５または図１６に示すように、前記中枠１１２の左側部に配置されたヒンジ機構１３３を介して開閉自在に枢支されると共に、該前枠１１３に形成した開口部１１３ａ(図１３参照)に臨むよう前記透明板１１４が組み付けられて、前枠１１３を閉成した際に遊技盤収容枠部１２０に設置した遊技盤１１８の遊技領域１４６を前面側から視認し得るよう構成される。ここで、前記中枠１１２に対して前枠１１３を閉成した状態では、該前枠１１３の下部(上球皿１１５の形成部位に対応する位置)が中枠１１２の下枠部１１２ｂに対向すると共に、前記開口部１１３ａの下縁が下枠部１１２ｂより上方に位置するよう構成されて、前枠１１３の下部位置が前記遊技盤収容枠部１２０に収容した遊技盤１１８と前後の関係で重なるようになっている。
【００６８】
また、前記前枠１１３には、ＬＥＤ等の発光体を実装した発光体基板と、該発光体基板から導出した中継用配線が接続された中継端子板(何れも図示せず)とを備えた照明装置１３９が配設されている。そして、前記照明装置１３９に接続した第１の配線１４０が、前記遊技盤１１８に配設されるランプ制御装置(制御装置)１５６(図２参照)に電気的に接続されて、該ランプ制御装置１５６の制御に基づいて照明装置１３９の発光体が点灯・点滅等するようになっている。なお、前記照明装置１３９の前側は光透過性のランプカバー１４１で被覆してある(図１３または図１７参照)。
【００６９】
（遊技盤について）
前記遊技盤１１８の前面(すなわち盤面)には、図１５に示すように、略円形状に湾曲形成された外レール１４４と、該外レール１４４の内側左部に離間して配置される円弧状の内レール１４５とからなる案内レール１４３が配設されており、該案内レール１４３の内側にパチンコ球が流下する遊技領域１４６が画成されると共に、該案内レール１４３の外側に非遊技領域１４７が画成されている。そして、前記遊技盤１１８における遊技領域１４６内に、各種図柄等を変動表示可能な図柄表示装置１５０や、パチンコ球の入賞により図柄表示装置１５０での図柄変動ゲームを開始する始動入賞装置１５１、図柄変動ゲームの結果として大当りの発生(例えば同一図柄の３つ揃い等)により開放する特別入賞装置１５２、その他の一般入賞装置１５３や電飾装置１５４等の遊技用部品が配置される。そして、実施例２のパチンコ機１１０は、前記中枠１１２に配設した打球発射機構部１９０から発射されたパチンコ球が案内レール１４３に沿って遊技領域１４６内に打ち出され、該遊技領域１４６内を流下するパチンコ球が始動入賞装置１５１に入賞することで図柄表示装置１５０において図柄変動ゲームが開始されて所定の遊技が行なわれるようになっている。
【００７０】
ここで、前記図柄表示装置１５０は、図１６に示すように、液晶表示装置と、該液晶表示装置を制御する表示制御装置(何れも図示せず)とをケース体１５０ａに収容して構成されて、該ケース体１５０ａが前記遊技盤１１８の裏面に設けた枠状の取付部材１５５に着脱可能に取り付けられる。前記ケース体１５０ａの後面には、前記前枠１１３に設けた前記照明装置１３９や、前記遊技盤１１８に設けた前記電飾装置１５４に電気的に接続されるランプ制御装置１５６が取り付けられており、該ランプ制御装置１５６の制御に基づいて、照明装置１３９および電飾装置１５４の夫々が点灯等するようになっている。なお、前記照明装置１３９に電気的に接続される第２の配線１５７は前記ランプ制御装置１５６の左後端部から導出されている。なお、前記遊技盤１１８における左上方の隅部は所定範囲に亘って切り欠かれて、前後に開口する挿通部１１８ａが形成されている(図１６、図２１または図２２参照)。
【００７１】
また、図１５に示すように、前記遊技盤１１８に画成された前記非遊技領域１４７には、所要の装飾が施された合成樹脂製の飾り部材１６０が配設される。ここで、前記飾り部材１６０の裏側には、一体成形されたボス(図示せず)が後方へ突出するよう複数箇所に突設されており、遊技盤１１８に形成した嵌合孔(図示せず)に各ボスを圧入することで、飾り部材１６０が遊技盤１１８の所定位置に取り付けられるようになっている。なお、実施例２では、前記コーナー飾り部材１６０は、遊技盤１１８の右上部から右下部に亘って位置するよう一体形成された第１コーナー部材１６１と、遊技盤１１８の左上部から左下部に亘って位置するよう一体形成された第２コーナー部材１６２とから構成されて、第１および第２コーナー部材１６１,１６２により前記非遊技領域１４７の略全域を覆うようになっている。
【００７２】
また、前記遊技盤１１８の上縁部における前記非遊技領域１４７に対応する位置には、図１７に示すように、遊技盤１１８の前後に貫通する嵌合凹部１４８が切削形成されている。すなわち、前記中枠１１２の遊技盤収容枠部１２０の突状部材１２７と対応する位置に、該突状部材１２７と嵌合する形状で前記遊技盤１１８に嵌合凹部１４８が形成されている場合に限り、遊技盤１１８を遊技盤収容枠部１２０に収容し得るようになっている。ここで、「対応する位置」とは、前記上枠部１１２ａ(遊技盤収容枠部１２０)に突状部材１２７が取り付けられていない場合に、遊技盤収容枠部１２０に遊技盤１１８を収容した際に前記嵌合凹部１４８が臨む位置を指し、「嵌合する形状」とは、嵌合凹部１４８の開口形状および内部形状が、突状部材１２７と整合する形状だけでなく、突状部材１２７の外郭形状より大きく形成されて嵌合凹部１４８に突状部材１２７が挿入される形状をも含むものである。
【００７３】
（中継接続部について）
また、前記第２コーナー部材１６２における前記遊技盤１１８に形成した前記挿通部１１８ａに対応する位置には、図２１〜図２３に示すように、前記前枠１１３の照明装置１３９に接続した第１の配線１４０と、前記ランプ制御装置１５６に接続した第２の配線１５７とを接続する中継接続部１７０を設けてある。前記中継接続部１７０は、前記第２コーナー部材１６２の前面から後方に向けて凹む設置部１７４に、中継基板１７１を着脱可能に配設して構成される。ここで、前記中継基板１７１は、図２１、図２３または図２４に示すように略矩形板状に形成されて、左上部に切欠１７１ａが形成されている。そして、前記中継基板１７１の前面左側位置に第１コネクタ差込口(第１被接続部)１７２が取り付けられ、裏面右側位置に第２コネクタ差込口(第２被接続部)１７３が取り付けられている。そして、前記第１コネクタ差込口１７２に対して前記第１の配線１４０の先端部に取り付けた第１コネクタ(第１接続部)１４０ａを接続し、第２コネクタ差込口１７３に対して第２の配線１５７の先端部に取り付けた第２コネクタ(第２接続部)１５７ａを接続することで、前記照明装置１３９とランプ制御装置１５６とが電気的に接続されるようになっている。
【００７４】
前記設置部１７４は、図２３に示すように、前方に開口するよう前記第２コーナー部材１６２に凹設されると共に前後に貫通する挿通孔１７５(図２５参照)が形成されている。ここで、前記設置部１７４は、前方開口形状が前記中継基板１７１に略整合するよう左上部に内側に突出する突出部１７４ａが形成されており、設置部１７４に中継基板１７１を配設した際に、中継基板１７１の切欠１７１ａと突出部１７４ａとが対応するようになっている。また、前記設置部１７４における前記挿通孔１７５の右側位置には、前記中継基板１７１の右端部を挿脱可能な係合部１７６が形成されると共に、該設置部１７４における挿通孔１７５の左側位置には、該中継基板１７１の左端部に係合可能な係合フック１７７が弾性変形可能に形成されている。すなわち、前記中継基板１７１の右端部を係合部１７６に挿入して係合させた状態で、中継基板１７１の左端部に係合フック１７７を係合させることで、中継基板１７１を設置部１７４に保持し得るようになっている。このとき、中継基板１７１に設けた第２コネクタ差込口１７３は、前記挿通孔１７５を介して第２コーナー部材１６２の裏側へ露出すると共に、挿通部１１８ａを介して遊技盤１１８の裏側へ露出する。
【００７５】
また、図２２に示すように、前記第２コーナー部材１６２の左側部における前記設置部１７４(中継接続部１７０)に対応する位置には、切欠部１７８(図２１または図２３参照)が形成されており、該切欠部１７８を介して設置部１７４が左方向に開口するよう構成されている。そして、前記中枠１１２の左枠部１１２ｃと第２コーナー部材１６２との間に画成される空間１７９に、前記中継接続部１７０が連通している。すなわち、前記中継接続部１７０の前側を後述するカバー部材１８３で被覆した状態では、前枠１１３からの第１の配線１４０は、前記切欠部１７８を介して前記設置部１７４に導入され、前記前枠１１３を中枠１１２に対して閉成した状態では、前記空間１７９に第１の配線１４０が収容されるよう構成される。
【００７６】
なお、図２１に示すように、前記第２コーナー部材１６２における設置部１７４の上部位置には、左右方向に所要間隔離間する位置に前側に向けて突出する一対の支持片１８１,１８１が形成されて、両支持片１８１,１８１の前端部を連結する軸部１８１ａに前記カバー部材１８３が軸支される。また、第２コーナー部材１６２における前記設置部１７４の下部を画成する部位には、係合孔１８０を形成してある。
【００７７】
図１５または図２１に示すように、前記カバー部材１８３は、前記中継接続部１７０の略全体を被覆する平板状に形成されて、該カバー部材１８３により中継接続部１７０を遊技者側から視認し得ないようにしている。なお、前記カバー部材１８３の前面は、前記第２コーナー部材１６２の前面に合わせた意匠形状に形成されて、該カバー部材１８３で中継接続部１７０を被覆した際に、飾り部材１６０の全体を統一感のある意匠として違和感を生じ難くしている。また、前記カバー部材１８３の裏面における右上方位置には、前記第２コーナー部材１６２に形成した軸部１８１ａに枢支される支持部１８４が形成されると共に、前記カバー部材１８３の下端部には、上下方向に弾性変形可能で、前記第２コーナー部材１６２の係合孔１８０に係脱自在に係合し得る弾性片１８５が形成されている。すなわち、前記カバー部材１８３は、前記軸部１８１ａを中心に回動し得ると共に、前記弾性片１８５が前記係合孔１８０に係合することで、前記設置部１７４(中継接続部１７０)を閉成する状態でカバー部材１８３の回動を規制し得るよう構成される。そして、この状態で弾性片１８５を上方に弾性変形することにより、弾性片１８５と係合孔１８０との係合が解除されて、カバー部材１８３を回動して前記設置部１７４(中継接続部１７０)を開放し得るようになっている。
【００７８】
次に、実施例２のパチンコ機１１０において、中枠１１２の遊技盤収容枠部１２０に収容される遊技盤１１８の判別につき説明する。
【００７９】
（中枠１１２の突状部材１２７および遊技盤１１８の嵌合凹部１４８による判別について）
前記中枠１１２における上枠部１１２ａ(遊技盤収容枠部１２０)には、前記遊技盤収容枠部１２０の開口内側に突出するよう突状部材１２７が取り付けられると共に、前記遊技盤１１８の上縁部には、嵌合凹部１４８が切削形成されている。ここで、実施例２では、前記上枠部１１２ａの複数箇所にネジ孔１２０ａを形成して、何れかのネジ孔１２０ａに選択的に前記突状部材１２７をネジ止めするよう構成してある。
【００８０】
従って、図２０に示すように、前記上枠部１１２ａのネジ孔１２０ａに選択的に取り付けた突状部材１２７と嵌合する位置および形状で前記嵌合凹部１４８が遊技盤１１８に形成されていない場合には、該突状部材１２７が嵌合凹部１４８に嵌合しないことで前記遊技盤収容枠部１２０へ遊技盤１１８を収容することができない。例えば図２０(c)に示すように、遊技盤１１８において、前記中枠１１２の突状部材１２７と対応する位置に嵌合凹部１４８が形成されていない場合には、遊技盤収容枠部１２０に遊技盤１１８を収容するに際して突状部材１２７が遊技盤１１８に接触し、遊技盤１１８の収容が阻止される。同様に、前記遊技盤１１８において前記突状部材１２７に対応する位置に前記嵌合凹部１４８が形成されていたとしても、例えば図２０(d)に示すように、該突状部材１２７の高さ寸法と、嵌合凹部１４８の深さ寸法違いにより、突状部材１２７と嵌合凹部１４８とが相互に嵌合不能な場合は、遊技盤収容枠部１２０に遊技盤１１８を収容するに際して突状部材１２７が嵌合凹部１４８に嵌合せず、遊技盤１１８の収容が阻止される。
【００８１】
すなわち、前記中枠１１２に取り付けた突状部材１２７と、前記遊技盤１１８に形成した嵌合凹部１４８とが、相互に嵌合する位置および形状で形成されている場合(図２０(a)参照)に限って、突状部材１２７が嵌合凹部１４８に嵌合して前記遊技盤収容枠部１２０へ遊技盤１１８を収容することができる(図２０(b)参照)。このため、中枠１１２の基本構成をそのままに、外観上のデザインを変更する、所謂マイナーチェンジ等により変更される前後の前枠１１３毎に、前記上枠部１１２ａに対する突状部材１２７の取付位置および形状を変更すると共に、この前枠１１３の変更に対応して遊技盤１１８に形成する嵌合凹部１４８の形成位置および形状も変更することで、中枠１１２に組み付けた前枠１１３に応じて遊技盤収容枠部１２０に収容可能な遊技盤１１８が特定される。換言すると、前記上枠部１１２ａに対する突状部材１２７の取付位置や形状を変更するだけで、遊技盤収容枠部１２０に収容しようとした遊技盤１１８が、該中枠１１２に支持した前枠１１３の種類に応じたものであるか否かを判別でき、中枠１１２に対して特定の遊技盤１１８を設置した状態で遊技に供することが可能となる。
【００８２】
このように、中枠１１２の上枠部１１２ａに対する突状部材１２７の取付位置および形状を変更すると共に、この変更に対応して遊技盤１１８に形成する嵌合凹部１４８の形成位置および形状も変更することで、中枠１１２に配設した前枠１１３と、遊技盤収容枠部１２０に収容した遊技盤１１８との組合わせが適正か否かを判別できるから、異なるデザインのパチンコ機１１０間における遊技盤１１８の互換性をなくし、公的機関の検査を受けた適正な組合わせで中枠１１２、前枠１１３および遊技盤１１８を組み付けた場合に限って遊技に供することができる。このとき、中枠１１２に変更を加える必要がないから、所謂マイナーチェンジ等に要するコストを低減することができる。
【００８３】
また、前記上枠部１１２ａの複数箇所にネジ孔１２０ａを予め形成することで、突状部材１２７の取付位置を変更するに際して上枠部１１２ａ(中枠１１２)を加工する必要がなく、コストの低減を図り得ると共に、突状部材１２７をネジ止めするネジ孔１２０ａを選択的に変更するだけで、遊技盤収容枠部１２０へ配設可能な遊技盤１１８の種類を容易に変更でき、作業効率の向上に寄与し得る。このとき、上枠部１１２ａ(遊技盤収容枠部１２０)に位置決め孔１２０ｂを形成すると共に、突状部材１２７に位置決め突部１２７ｂを形成し、該位置決め突部１２７ｂを位置決め孔１２０ｂに挿入して位置決めした状態で突状部材１２７をネジ止めするようにしたから、取付作業を簡単に行なうことが可能となる。また、前記突状部材１２７を固定するネジ１２８として、一度締め付けた後に取り外し困難なワンウェイネジを採用したことで、突状部材１２７の取付位置が不正に変更されるのを防止でき、遊技盤収容枠部１２０に収容可能な遊技盤１１８の種類を特定することができる。
【００８４】
更に、所謂マイナーチェンジに際して中枠１１２を変更する必要がないから、デザイン毎に中枠１１２を保管・管理する必要もなく、保管場所の確保が容易になると共に保管に要する維持費を抑制することができる。そして、実施例２では、前記突状部材１２７を上枠部１１２ａに取り付けると共に、遊技盤１１８の非遊技領域１４７における上縁部に形成した嵌合凹部１４８に突状部材１２７が嵌合するようにしたから、該突状部材１２７が遊技領域１４６を流下するパチンコ球に接触して遊技に影響を及ぼすことはない。
【００８５】
また、前記遊技盤１１８の前後に貫通するよう嵌合凹部１４８を形成したから、遊技盤収容枠部１２０に対して遊技盤１１８を設置するに場合に、嵌合凹部１４８と突状部材１２７との位置を確認しながら作業し得るから、作業効率の向上が図られる。ここで、前記突状部材１２７の角部を面取りしてあるから、突状部材１２７と嵌合凹部１４８とが対応する場合に、嵌合凹部１４８に対して突状部材１２７をスムーズに嵌合させることができ、遊技盤１１８の設置作業を効率的に行なうことが可能となる。
【００８６】
（コネクタおよびコネクタ差込口による判別について）
また、前記遊技盤１１８の非遊技領域１４７に配設した第２コーナー部材１６２に中継接続部１７０を設けて、該中継接続部１７０における中継基板１７１の前面に設けた第１コネクタ差込口１７２に、前記前枠１１３の照明装置１３９からの第１の配線１４０に取り付けた第１コネクタ１４０ａを接続すると共に、中継基板１７１の裏面に設けた第２コネクタ差込口１７３に、前記遊技盤１１８のランプ制御装置１５６からの第２の配線１５７に取り付けた第２コネクタ１５７ａを接続するよう構成してある。すなわち、図２４(a)に示すように、前記第１コネクタ１４０ａを第１コネクタ差込口１７２に接続し得ると共に、前記第２コネクタ１５７ａを第２コネクタ差込口１７３接続し得る場合に、前記照明装置１３９とランプ制御装置１５６とが電気的に接続され(図２４(b)参照)、照明装置１３９の照明による正常な演出が可能となる。
【００８７】
これに対して、図２４(c)に示すように、前記第１の配線１４０の第１コネクタ１４０ａと第１コネクタ差込口１７２の形状が異なる場合には、該第１コネクタ１４０ａを第１コネクタ差込口１７２に接続することができない。すなわち、前記前枠１１３の照明装置１３９を遊技盤１１８のランプ制御装置１５６に電気的に接続し得ないから、前枠１１３に設けた照明装置１３９を点灯・点滅等することができず、照明による正常な演出が不能となる。同様に、前記第２の配線１５７の第２コネクタ１５７ａと第２コネクタ差込口１７３の形状が異なる場合にも、該第２コネクタ１５７ａを第２コネクタ差込口１７３に接続することができないから、前記前枠１１３の照明装置１３９が遊技盤１１８のランプ制御装置１５６に電気的に接続されず、前枠１１３に設けた照明装置１３９の照明による正常な演出が不能となる。
【００８８】
このように、前記第１の配線１４０の第１コネクタ１４０ａと第１コネクタ差込口１７２の形状、および前記第２の配線１５７の第２コネクタ１５７ａと第２コネクタ差込口１７３の形状の夫々が、相互に接続可能な形状で形成されている場合に限って、前枠１１３の照明装置１３９の適正な照明による演出を行ない得る。従って、所謂マイナーチェンジ等により変更される前後の前枠１１３毎に、第１の配線１４０に設ける第１コネクタ１４０ａの形状を変更すると共に、この変更に対応して遊技盤１１８の中継基板１７１(中継接続部１７０)に設ける第１コネクタ差込口１７２の形状も変更することで、中枠１１２に組み付けた前枠１１３に応じて遊技盤収容枠部１２０に収容可能な遊技盤１１８が特定される。換言すると、前枠１１３から導出される第１の配線１４０の第１コネクタ１４０ａを変更するだけで、中枠１１２に配設した前枠１１３の種類に応じた遊技盤１１８が中枠１１２の遊技盤収容枠部１２０に収容されているか否かを判別でき、中枠１１２に対して特定の遊技盤１１８を設置した場合に限り、パチンコ機１１０として遊技に供することが可能となる。
【００８９】
特に、実施例２のように前記中枠１１２の遊技盤収容枠部１２０に対して遊技盤１１８を前側から着脱する構成とした場合には、前枠１１３の変更に応じて、前記第１コネクタ１４０ａと第１コネクタ差込口１７２の形状を変更することで、遊技盤収容枠部１２０に対して遊技盤１１８を取り付けた際に、第１コネクタ１４０ａと第１コネクタ差込口１７２との接続の可否を確認すれば、適正な遊技盤１１８が遊技盤収容枠部１２０に設置されているか否かを短時間で容易に判別することができ、作業効率の向上が図られる利点がある。
【００９０】
また、前述のように第１コネクタ１４０ａと第１コネクタ差込口１７２の形状、あるいは第２コネクタ１５７ａと第２コネクタ差込口１７３の形状の少なくとも一方の形状を変更するだけで中枠１１２に設置可能な遊技盤１１８を特定できるから、中枠１１２の変更等の余計なコストの低減を図り得る。更に、所謂マイナーチェンジに際して中枠１１２を変更する必要がないから、デザイン毎に中枠１１２を保管・管理する必要もなく、保管場所の確保が容易になると共に保管に要する維持費を抑制することができる。そして、実施例２では、前記中継接続部１７０を遊技盤１１８の非遊技領域１４７に配設した第２コーナー部材１６２に設けるようにしたから、該中継接続部１７０が遊技領域１４６を流下するパチンコ球に接触する等の不具合は防止され、遊技に影響を及ぼすことはない。また、合成樹脂製の第２コーナー部材１６２に中継接続部１７０を設けるようにしたことで、該中継接続部１７０を容易に形成し得る。
【００９１】
また、遊技盤収容枠部１２０へ遊技盤１１８を設置した際に、前枠１１３を枢支するヒンジ機構１３３側に中継接続部１７０が位置するよう構成したことで、第１の配線１４０の長さを必要最小限にできる。すなわち、前枠１１３の照明装置１３９と中継接続部１７０とを接続する第１の配線１４０の取り回しが容易になり、遊技盤１１８の設置作業および第１コネクタ１４０ａと第１コネクタ差込口１７２との接続の可否の判定作業を簡単になし得る。また、第１の配線１４０が短くなることで、前枠１１３の開閉時における第１の配線１４０の噛み込みを防止でき、該配線１４０の断線等による不具合を回避し得る。
【００９２】
（設置部１７４の開口形状と中継基板１７１の外郭形状）
また、実施例２では、前記中継基板１７１の左上部を切り欠くよう形成すると共に、遊技盤１１８の中継接続部１７０における設置部１７４を、該中継基板１７１に略整合する形状で前方に開口するよう形成してある。このように、前記中継基板１７１の外郭形状と、前記設置部１７４の開口形状とが整合する場合には、該設置部１７４に対して中継基板１７１を設置すると共に、中継基板１７１の第１コネクタ差込口１７２および第２コネクタ差込口１７３に各対応のコネクタ１４０ａ,１５７ａを接続することで、前記発光体基板とランプ制御装置１５６とが電気的に接続され、前記照明装置１３９の照明による正常な演出が可能となる。一方、前記中継基板１７１の外郭形状と、前記設置部１７４の開口形状とが整合しない場合には、該設置部１７４に対する中継基板１７１の設置が阻止される(図２５参照)。すなわち、前記設置部１７４(中継接続部１７０)への中継基板１７１の設置を阻止することで、作業者に対して組み付け異常を認識させることができる。
【００９３】
すなわち、所謂マイナーチェンジ等による前枠１１３の変更に応じて、中継接続部１７０における設置部１７４の開口形状を変更すると共に、前記中継基板１７１の外郭形状も変更し、前記中枠１１２および前枠１１３の組合わせに応じて中継基板１７１および設置部１７４の形状を特定することで、形状の異なる設置部１７４へ中継基板１７１が取り付けられるのを防止できる。
【００９４】
すなわち、中継基板１７１を取り付け得る設置部１７４(すなわち遊技盤１１８)が、中枠１１２および前枠１１３の組合わせ毎に異なるから、特定の中枠１１２および前枠１１３の組合わせに適合する中継基板１７１が、この特定の組合わせと異なる中枠１１２用の遊技盤１１８の設置部１７４に対して誤って取り付けられるのを防止し得る。換言すれば、異なるデザインのパチンコ機１１０間における遊技盤１１８の互換性をなくして、公的機関の検査を受けた適正な組合わせで中枠１１２、前枠１１３および遊技盤１１８を組み付けた場合に限ってパチンコ機１１０として遊技に供することがより確実に可能となる。
【００９５】
ここで、前記設置部１７４は合成樹脂製の第２コーナー部材１６２に設けられるから、マイナーチェンジ等による前枠１１３の変更に応じて設置部１７４の形状を容易に形成し得る。また、前述と同様に、中枠１１２に変更を加える必要がないから、コストや中枠１１２の保管・管理等に要する負担の増加を招来することはない。また、前記第２コーナー部材１６２は、遊技盤１１８の非遊技領域１４７に設けられる程度の小さな部材のため、中継基板１７１の形状に応じて設置部１７４を形成した多種類の第２コーナー部材１６２を用意したとしても、当該第２コーナー部材１６２の保管に際して大きなスペースを確保する必要がない。ここで、遊技盤１１８に第２コーナー部材１６２を組み付けるに際しては、多種類用意した第２コーナー部材１６２から、中枠１１２および前枠１１３の組合わせに応じた中継基板１７１を設置可能な設置部１７４を設けた第２コーナー部材１６２を選択して、該第２コーナー部材１６２に一体成形した各ボスを遊技盤１１８に形成した嵌合孔に圧入するだけで、中枠１１２および前枠１１３の組合わせに応じた第２コーナー部材１６２を遊技盤１１８に簡単に取り付けることができ、組み付け作業の効率向上が図られる。
【００９６】
〔実施例２の変更例〕
なお、本発明に係る遊技機における遊技盤判別構造としては、実施例２のものに限られず種々の変更が可能である。例えば、実施例２では、遊技盤収容枠部を画成する上枠部にネジ孔を設けて、ネジ孔に突状部材をネジ止めすると共に、遊技盤の上縁部に嵌合凹部を形成するよう構成したが、これに限られるものではない。すなわち、遊技盤収容枠部を画成する上下左右の枠部の何れかにネジ孔を設けるようにすればよく、同様に遊技盤の上下左右の周縁部に嵌合凹部を形成することができる。また遊技盤収容枠部の突状部材および遊技盤の嵌合凹部の数や位置は、マイナーチェンジ等による開閉部材の変更に応じて適宜変更するようにすればよい。また実施例２では、突状部材を略矩形状に形成するようにしたが、これに限定されるものではなく、任意形状に形成することができる。
【００９７】
また、実施例２では、遊技盤収容枠部を画成する上枠部に取付部としてのネジ孔を形成するようにしたが、これに限らず、接着剤等により突状部材を上枠部の任意位置に接着固定するよう構成し、該上枠部全体を取付部として機能するようにしてもよい。また取付部として、係合フックからなる係合手段を遊技盤収容枠部に形成して、突状部材に設けた係合孔に係合フックが係合して取り付けることもできる。このとき、遊技盤収容枠部および突状部材に形成する係合フックおよび係合孔を夫々反対の部材に設けることもできる。
【００９８】
また、実施例２では、第１被接続部および第２被接続部を設けた基板と、該基板を設置する設置部とから構成された中継接続部を飾り部材に設けるようにしたが、飾り部材に対して被接続部を直接取り付けて中継接続部を構成することも可能である。また、実施例２では、開閉部材に設けた照明装置を中継接続部に接続するよう構成したが、該開閉部材にスピーカ等の音声出力装置を配設し、照明装置および音声出力装置の夫々を、中継接続部を介して本体枠または遊技盤の裏側に設けた制御装置に接続するようにしてもよい。
【００９９】
また、実施例２では中継接続部の設置部に対して遊技盤の前側から基板を着脱し得る例を示したが、これに限らず、遊技盤の後側から設置部に基板を着脱するよう構成することも可能である。
【０１００】
また、実施例２では、開閉部材側の第１接続部および遊技盤側の第１被接続部を変更することで、遊技盤収容枠部に収容した遊技盤を判別するよう構成したが、これに限らず、第２接続部および第２被接続部を変更することで遊技盤収容枠部に収容した遊技盤を判別することも可能である。すなわち、遊技盤側の第２被接続部に接続される制御装置が本体枠に設置されている場合には、所謂マイナーチェンジ等により変更される前後の開閉部材毎に、第２接続部の形状を変更すると共に、この変更に対応して中継接続部の第２被接続部の形状も変更することで、本体枠に組み付けた開閉部材に応じて遊技盤収容枠部に収容可能な遊技盤が特定される。また、本体枠および開閉部材の組合わせに応じて(所謂マイナーチェンジ等の場合に変更前後の開閉部材毎に応じて)、第１接続部の形状と第１被接続部の形状、および第２接続部の形状と第２被接続部の形状の組合わせの両方を変更した場合には、一方の接続部と被接続部の形状を変更する場合に較べて、適正な遊技盤が遊技盤収容枠部に設置されているか否かをより確実に判別することが可能となる。
【０１０１】
実施例２では、(Ａ)遊技盤収容枠部の突状部材と遊技盤の嵌合凹部とを利用した遊技盤の判別、(Ｂ)開閉部材や制御装置の接続部と遊技盤における中継接続部の被接続部とを利用した遊技盤の判別、を組み合わせた遊技機における遊技盤の判別構造を例示したが、(Ａ)に係る遊技機における遊技盤の判別構造のみを利用しても、本体枠を変更することなく特定の遊技盤のみを設置して遊技に供することが可能となる。
【０１０２】
なお、実施例２では、遊技機としてのパチンコ機に配設される遊技盤を判別する構造を示したが、これに限られるものではなく、アレンジボール機等であってもよい。すなわち、本発明の遊技機における遊技盤判別構造は、遊技球が流下可能な遊技領域および遊技球が流下不能な非遊技領域を有し、該遊技領域内に、遊技球の流下方向に変化を与える複数の遊技釘や遊技球が入賞可能な入賞装置、電気的に作動制御される遊技部品を設けた遊技盤と、前記遊技盤を着脱可能に収容する遊技盤収容枠部を備える本体枠と、前記本体枠に設けられ、前記遊技盤収容枠部に収容した遊技盤の遊技領域へ向けて遊技球を発射する打球発射機構部と、前記本体枠に設けられ、前記遊技盤の入賞装置への遊技球の入賞に基づいて賞球を払出す賞球払出機構部と、前記遊技盤の遊技部品を作動制御する電気的制御装置とを備えた遊技機であれば、何れの遊技機に対しても好適に適用することが可能である。
【図面の簡単な説明】
【０１０３】
【図１】本発明の実施例１に係るパチンコ機を示す正面図である。
【図２】実施例１に係るパチンコ機を示す背面図である。
【図３】実施例１に係るパチンコ機を、前枠および上球皿を開放した状態で示す正面図である。
【図４】実施例１に係るパチンコ機を示す平面図であって、中枠を一部横断して示す。
【図５】実施例１に係る前枠における上球皿の形成部分を拡大して背面から見た状態で示す斜視図である。
【図６】実施例１に係る第１コーナー部材の下端を拡大して示す斜視図である。
【図７】実施例１に係る第１嵌合部と第２嵌合部との嵌合状態を示す概略説明図であって、(a)は第１嵌合部と第２嵌合部とが嵌合し得る位置および形状で形成されている状態を示し、(b)は(a)に示す状態で前枠を中枠に対して閉成した状態を示し、(c)は第１嵌合部と第２嵌合部との形成位置が異なる場合を示し、(d)は遊技盤に第１嵌合突部と嵌合しない形状で第２嵌合凹部が形成されている場合を示す。
【図８】実施例１に係る第２コーナー部材を遊技盤に取り付けた状態で、該遊技盤を縦断すると共に、該第２コーナー部材の中継接続部を分解して示す斜視図である。
【図９】実施例１に係る前枠を開放した状態で示すパチンコ機の横断平面図である。
【図１０】実施例１に係る中継接続部を示す正面図である。
【図１１】実施例１に係る中継基板に対する前枠の第１コネクタおよびランプ制御装置の第２コネクタを接続する状態を示す概略説明図であって、(a)は中継基板の第１および第２コネクタ差込口の夫々と第１および第２コネクタの形状が接続可能な場合を示し、(b)は(a)に示す状態から各コネクタを対応のコネクタ差込口に接続した状態を示し、(c)は中継基板の第１コネクタ差込口と第１コネクタの形状が接続不能な場合を示す。
【図１２】実施例１に係る中継接続部の設置部と、該設置部に設置する中継基板との関係を示す説明図である。
【図１３】本発明の実施例２に係るパチンコ機を示す正面図である。
【図１４】実施例２に係るパチンコ機を示す背面図である。
【図１５】実施例２に係るパチンコ機を、前枠および上球皿を開放した状態で示す正面図である。
【図１６】実施例２に係るパチンコ機を示す平面図であって、中枠を一部横断して示す。
【図１７】実施例２に係る中枠と、該中枠の遊技盤収容枠部から取り外した遊技盤とを示す正面図である。
【図１８】実施例２に係る中枠の上枠部における突状部材の設置部位を、遊技盤収容枠部側から視た状態で示す斜視図である。
【図１９】実施例２に係る中枠における上枠部の縦断側面図であって、(a)は遊技盤収容枠部から突状部材を分離した状態を示し、(b)は遊技盤収容枠部に突状部材をネジ止めすると共に遊技盤を収容した状態を示す。
【図２０】実施例２に係る遊技盤収容枠部の突状部材と遊技盤の嵌合凹部との嵌合状態を示す概略説明図であって、(a)は突状部材と嵌合凹部とが嵌合し得る位置および形状で形成されている状態を示し、(b)は(a)に示す状態で遊技盤を遊技盤収容枠部に収容した状態を示し、(c)は突状部材と嵌合凹部との形成位置が異なる場合を示し、(d)は突状部材と嵌合しない形状で嵌合凹部が遊技盤に形成されている場合を示す。
【図２１】実施例２に係る第２コーナー部材を遊技盤に取り付けた状態で、該遊技盤を縦断すると共に、該第２コーナー部材の中継接続部を分解して示す斜視図である。
【図２２】実施例２に係る前枠を開放した状態で示すパチンコ機の横断平面図である。
【図２３】実施例２に係る中継接続部を示す正面図である。
【図２４】実施例２に係る中継基板に対する前枠の第１コネクタおよびランプ制御装置の第２コネクタを接続する状態を示す概略説明図であって、(a)は中継基板の第１および第２コネクタ差込口の夫々と第１および第２コネクタの形状が接続可能な場合を示し、(b)は(a)に示す状態から各コネクタを対応のコネクタ差込口に接続した状態を示し、(c)は中継基板の第１コネクタ差込口と第１コネクタの形状が接続不能な場合を示す。
【図２５】実施例２に係る中継接続部の設置部と、該設置部に設置する中継基板との関係を示す説明図である。
【符号の説明】
【０１０４】
１２  中枠(本体枠)
１３  前枠(開閉部材)
１８  遊技盤
２０  遊技盤収容枠部
３３  ヒンジ機構
３９  照明装置
４０  第１の配線(配線)
４０ａ  第１コネクタ(第１接続部)
４６  遊技領域
４７  非遊技領域
５０  図柄表示装置(遊技部品)
５１  始動入賞装置(入賞装置)
５２  特別入賞装置(入賞装置)
５３  一般入賞装置(入賞装置)
５４  電飾装置(遊技部品)
５６  ランプ制御装置(照明制御装置)
５７  第２の配線(配線)
５７ａ  第２コネクタ(第２接続部)
６０  飾り部材
７０  中継接続部
７１  中継基板(基板)
７２  第１コネクタ差込口(第１被接続部)
７３  第２コネクタ差込口(第２被接続部)
７４  設置部
９０  打球発射機構部
９２  球払出機構部
１１２  中枠(本体枠)
１１３  前枠(開閉部材)
１１８  遊技盤
１２０  遊技盤収容枠部
１３３  ヒンジ機構
１３９  照明装置
１４０  第１の配線(配線)
１４０ａ  第１コネクタ(第１接続部)
１４６  遊技領域
１４７  非遊技領域
１５０  図柄表示装置(遊技部品)
１５１  始動入賞装置(入賞装置)
１５２  特別入賞装置(入賞装置)
１５３  一般入賞装置(入賞装置)
１５４  電飾装置(遊技部品)
１５６  ランプ制御装置(照明制御装置)
１５７  第２の配線(配線)
１５７ａ  第２コネクタ(第２接続部)
１６０  飾り部材
１７０  中継接続部
１７１  中継基板(基板)
１７２  第１コネクタ差込口(第１被接続部)
１７３  第２コネクタ差込口(第２被接続部)
１７４  設置部
１９０  打球発射機構部
１９２  球払出機構部
【図１】
2008109959.tif 000003
【図２】
2008109959.tif 000004
【図３】
2008109959.tif 000005
【図４】
2008109959.tif 000006
【図５】
2008109959.tif 000007
【図６】
2008109959.tif 000008
【図７】
2008109959.tif 000009
【図８】
2008109959.tif 000010
【図９】
2008109959.tif 000011
【図１０】
2008109959.tif 000012
【図１１】
2008109959.tif 000013
【図１２】
2008109959.tif 000014
【図１３】
2008109959.tif 000015
【図１４】
2008109959.tif 000016
【図１５】
2008109959.tif 000017
【図１６】
2008109959.tif 000018
【図１７】
2008109959.tif 000019
【図１８】
2008109959.tif 000020
【図１９】
2008109959.tif 000021
【図２０】
2008109959.tif 000022
【図２１】
2008109959.tif 000023
【図２２】
2008109959.tif 000024
【図２３】
2008109959.tif 000025
【図２４】
2008109959.tif 000026
【図２５】
2008109959.tif 000027